(57)【要約】【課題】長期間漂白効果を維持しつつ良好な溶液状態を保つことのできる液体漂白剤組成物を提供する。【解決手段】（ａ）過酸化水素又は水中で過酸化水素を生成する化合物、（ｂ）非イオン界面活性剤、（ｃ）重量平均分子量が１００〜１５，０００である特定のポリオキシアルキレンエーテル、（ｄ）漂白活性化剤を、それぞれ特定範囲で含有する液体漂白剤組成物。【選択図】なし【特許請求の範囲】
【請求項１】
（ａ）過酸化水素又は水中で過酸化水素を生成する化合物０．１〜３０質量％、（ｂ）非イオン界面活性剤１０〜８０質量％、（ｃ）下記一般式（１）で表され重量平均分子量が１００〜１５，０００であるポリオキシアルキレンエーテル０．５〜７０質量％、（ｄ）漂白活性化剤０．１〜１０質量％を含有し、（ｂ）成分と（ｃ）成分の合計含有量が４５〜９０質量％である液体漂白剤組成物。
ＨＯ−[(Ｃ2Ｈ4Ｏ)l／(Ｃ3Ｈ6Ｏ)m]−Ｈ            （１）
〔式中、ｌは平均付加モル数１〜３００の数、ｍは平均付加モル数０〜５０の数を示す。〕
【請求項２】
（ｂ）成分として、下記一般式（２）で表される非イオン界面活性剤（ｂ１）と一般式（３）で表される非イオン界面活性剤（ｂ２）とを、（ｂ１）／（ｂ２）の質量比で０．２〜５で含有する請求項１記載の液体漂白剤組成物。
Ｒ1−Ｏ−[(Ｃ2Ｈ4Ｏ)p／(Ｃ3Ｈ6Ｏ)q]−Ｈ          （２）
〔式中、Ｒ1は平均炭素数８〜２０の一級アルコールより水酸基を除いた残基を示す。pは平均付加モル数１〜３０の数、qは平均付加モル数０〜２０の数を示す。〕
Ｒ2−Ｏ−[(Ｃ2Ｈ4Ｏ)r／(Ｃ3Ｈ6Ｏ)s]−Ｈ          （３）
〔式中、Ｒ2は平均炭素数８〜２０の二級アルコールより水酸基を除いた残基を示す。rは平均付加モル数１〜３０の数、sは平均付加モル数０〜２０の数を示す。〕
【請求項３】
更に、（ｅ）成分として、ホウ酸、ホウ砂、及びホウ酸塩から選ばれる少なくとも１種の化合物、（ｆ）成分として、隣合う炭素原子の両方にそれぞれ１つヒドロキシ基を有する部位が１つ以上存在する化合物を含有する請求項１又は２記載の液体漂白剤組成物。
【請求項４】
更に、（ｇ）成分として、金属イオン封鎖剤を含有する請求項１〜３いずれか記載の液体漂白剤組成物。
【発明の詳細な説明】
【技術分野】
【０００１】
本発明は、液体漂白剤組成物に関する。
【背景技術】
【０００２】
現在、衣料用の酸素系液体漂白剤は、過酸化水素が漂白基剤として使用されている。その際、より高い漂白効果を得るために、ＮＯＢＳ（ノナノイルオキシベンゼンスルホン酸）、ＬＯＢＳ（ラウリルオキシベンゼンスルホン酸）、ＤＯＢＡ（デカノイルオキシ安息香酸）などの漂白活性化剤が、過酸化水素と共に併用されている。
【０００３】
これらの漂白活性化剤は、弱アルカリ性以上のｐＨにおいて過酸化水素と反応することにより漂白効果の高い有機過酸を発生し、この有機過酸が食べこぼしによるシミ汚れや衣類の黄ばみに対して効果的であることが知られている。しかしながら、漂白活性化剤は、弱アルカリ性以上のｐＨ液体中において非常に不安定であるため、安定化のために種々検討が成されている。特許文献１には、漂白活性化剤と界面活性剤の相互作用による安定化方法が開示されており、特許文献２〜５には酸性条件下での陽イオン界面活性剤による安定化効果が記載されている。
【特許文献１】特許２６６９５９０号公報
【特許文献２】特開平７−２１６３９０号公報
【特許文献３】特開平７−２２８８９３号公報
【特許文献４】特開平７−３０５０９４号公報
【特許文献５】特開平８−３５１７０号公報
【発明の開示】
【発明が解決しようとする課題】
【０００４】
液体漂白剤の製品ｐＨを弱酸性以上に調整することは、漂白活性化剤の漂白効果を十分発揮できるため非常に有効であるが、過酸化水素はｐＨの上昇に伴い過酸化水素アニオンを生成し、漂白活性化剤の安定性を著しく低下させるため、貯蔵安定性上問題である。
【０００５】
弱酸性以上のｐＨにおける漂白活性化剤の安定性を向上させるためには、製品中の非イオン界面活性剤や溶剤を増量することが有効であるが、各温度において白濁や分離を起こさない良好な溶液状態を保持することは困難であり、また長期間保存による漂白活性化剤の安定性も満足できるものではない。
【０００６】
従って本発明の課題は、長期間漂白効果を維持しつつ良好な溶液状態を保つことのできる液体漂白剤組成物を提供することにある。
【課題を解決するための手段】
【０００７】
本発明は、（ａ）過酸化水素又は水中で過酸化水素を生成する化合物〔以下、（ａ）成分という〕０．１〜３０質量％、（ｂ）非イオン界面活性剤〔以下、（ｂ）成分という〕１０〜８０質量％、（ｃ）下記一般式（１）で表され重量平均分子量が１００〜１５,０００であるポリオキシアルキレンエーテル〔以下、（ｃ）成分という〕０．５〜７０質量％、（ｄ）漂白活性化剤〔以下、（ｄ）成分という〕０．１〜１０質量％を含有し、（ｂ）成分と（ｃ）成分の合計含有量が４５〜９０質量％である液体漂白剤組成物に関する。
ＨＯ−[(Ｃ2Ｈ4Ｏ)l／(Ｃ3Ｈ6Ｏ)m]−Ｈ            （１）
〔式中、ｌは平均付加モル数１〜３００の数、ｍは平均付加モル数０〜５０の数を示す。〕
【発明の効果】
【０００８】
本発明によれば、長期間漂白効果を維持しつつ良好な溶液状態を保つことのできる液体漂白剤組成物が提供される。
【発明を実施するための最良の形態】
【０００９】
［（ａ）成分］
本発明の液体漂白剤組成物は、（ａ）成分として過酸化水素又は水中で過酸化水素を生成する化合物を含有する。水中で過酸化水素を生成する化合物としては、過炭酸塩、過ホウ酸塩等が挙げられる。（ａ）成分の過酸化水素としての含有量は、液体漂白剤組成物中に０．１〜３０質量％、好ましくは０．５〜２０質量％、更に好ましくは１〜１５質量％、特に好ましくは１〜１０質量％である。このような範囲において優れた漂白効果を得ることができる。
【００１０】
［（ｂ）成分］
本発明の液体漂白剤組成物は、（ｂ）成分として、非イオン界面活性剤を含有する。非イオン界面活性剤としては、下記一般式（２）で表される非イオン界面活性剤（ｂ１）、一般式（３）で表される非イオン界面活性剤（ｂ２）が挙げられる。
Ｒ1−Ｏ−[(Ｃ2Ｈ4Ｏ)p／(Ｃ3Ｈ6Ｏ)q]−Ｈ          （２）
〔式中、Ｒ1は平均炭素数８〜２０、好ましくは１０〜１８、より好ましくは１０〜１６の一級アルコールより水酸基を除いた残基、好ましくはアルキル基及び／又はアルケニル基を示す。pは平均付加モル数１〜３０、好ましくは２〜２５、より好ましくは４〜２０の数、qは平均付加モル数０〜２０、好ましくは０〜１０、より好ましくは０〜５の数を示す。〕
Ｒ2−Ｏ−[(Ｃ2Ｈ4Ｏ)r／(Ｃ3Ｈ6Ｏ)s]−Ｈ          （３）
〔式中、Ｒ2は平均炭素数８〜２０、好ましくは１０〜１８、より好ましくは１０〜１６の二級アルコールより水酸基を除いた残基、好ましくはアルキル基及び／又はアルケニル基を示す。rは平均付加モル数１〜３０、好ましくは２〜２０、より好ましくは４〜１０の数、sは平均付加モル数０〜２０、好ましくは０〜１０、より好ましくは０〜５の数を示す。〕
【００１１】
（ｂ）成分として、下記一般式（２）で表される非イオン界面活性剤（ｂ１）と一般式（３）で表される非イオン界面活性剤（ｂ２）とを含有することが好ましい。その場合、（ｂ１）／（ｂ２）の質量比は、０．２〜５、更に０．２〜４、特に０．３〜３であることが、配合組成物の透明均一性を保持する観点から好ましい。
【００１２】
（ｂ）成分の含有量は、液体漂白剤組成物中に１０〜８０質量％、好ましくは１２〜７５質量％、更に好ましくは１５〜７０質量％、特に好ましくは２０〜６５質量％である。このような範囲において優れた洗浄効果及び漂白効果を得ることができる。
【００１３】
なお、一般式（２）及び一般式（３）においては、ＥＯ(Ｃ2Ｈ4Ｏ)とＰＯ(Ｃ3Ｈ6Ｏ)とはランダム共重合体又はブロック共重合体のいずれの形態で配列されていてもよい。
【００１４】
［（ｃ）成分］
本発明の液体漂白剤組成物は、（ｃ）成分として、下記一般式（１）で表される重量平均分子量が１００〜１５，０００、好ましくは１５０〜１５，０００、より好ましくは２００〜１０，０００であるポリオキシアルキレンエーテルを含有する。
ＨＯ−[(Ｃ2Ｈ4Ｏ)l／(Ｃ3Ｈ6Ｏ)m]−Ｈ            （１）
〔式中、ｌは平均付加モル数１〜３００、好ましくは２〜２００、より好ましくは５〜１００の数、ｍは平均付加モル数０〜５０、好ましくは０〜３５、より好ましくは０〜２５の数を示す。〕
【００１５】
（ｃ）成分の含有量は、液体漂白剤組成物中に０．５〜７０質量％、好ましくは１〜６５質量％、更に好ましくは１５〜６０質量％、特に好ましくは２５〜５５質量％である。このような範囲において漂白活性化剤の優れた貯蔵安定性を得ることができる。なお、一般式（１）においては、ＥＯ(Ｃ2Ｈ4Ｏ)とＰＯ(Ｃ3Ｈ6Ｏ)とはランダム共重合体又はブロック共重合体のいずれの形態で配列されていてもよい。
【００１６】
本発明の液体漂白剤組成物では、漂白活性化剤の安定性の観点から、（ｂ）成分と（ｃ）成分の合計含有量が４５〜９０質量％、好ましくは５０〜８５質量％、より好ましくは５５〜８０質量％である。
【００１７】
更に、（ｂ）成分／（ｃ）成分の質量比は、漂白活性化剤の安定性の観点から、好ましくは０．１４〜１６０、より好ましくは０．２〜８０、特に好ましくは０．２５〜４５である。
【００１８】
［（ｄ）成分］
本発明の液体漂白剤組成物は、（ｄ）成分として漂白活性化剤を含有する。
本明細書中において、漂白活性化剤とは、無機過酸化物と反応することで有機過酸を生成する化合物を意味する。本発明の漂白活性化剤としては、以下の一般式で表されるエステル結合を有する化合物が挙げられる。
Ｒ3−Ｃ（＝Ｏ）−ＬＧ          （４）
〔式中、Ｒ3は、炭素数６〜１３の直鎖又は分岐鎖のアルキル基もしくはアルケニル基、アリール基、又はアルキル基（炭素数１〜８）置換アリール基である。ＬＧは脱離基である。〕
【００１９】
式中、Ｒ3は、好ましくは炭素数６〜１３の分岐鎖のアルキル基である。ＬＧは脱離基であり、具体的には以下の基が挙げられる。
【００２０】
【化１】
2007308597.tif 000002
【００２１】
−Ｏ−Ｒ’−（Ｏ）p−ＳＯ3-及び−Ｏ−Ｒ’−（Ｏ）p−ＳＯ3Ｍ（ここでＲ’はアルキレン基、ｐは０又は１、Ｍは水素原子、アルカリ金属、又はアルカリ土類金属を表す。）が挙げられる。なお、Ｒ’のアルキレン基は、炭素数１〜５が好ましい。
【００２２】
本発明の好ましい（ｄ）成分として、カルボニル炭素に対してα位又はβ位に側鎖を有する総炭素数６〜１３のアルカノイル基を有する漂白活性化剤を使用し得る。このような漂白活性化剤は、アルカノイル基が直鎖である漂白活性化剤と比較して、弱酸性領域における貯蔵安定性の向上を確保できることから、より高い漂白効果及び高い洗浄効果を液体漂白剤組成物に付与することが可能となる。
具体的に好ましい化合物としては下記一般式（５）の化合物を挙げることができる。
【００２３】
【化２】
2007308597.tif 000003
【００２４】
〔式中、Ｒ3a−ＣＯは、カルボニル炭素に対してα位及びβ位の少なくとも一方に側鎖を有する総炭素数６〜１３、好ましくは７〜１３のアルカノイル基であり、Ｒ3a−は下記のα位分岐型又はβ位分岐型が好適である。
【００２５】
【化３】
2007308597.tif 000004
【００２６】
ここで、Ｒ3bは炭素数４〜１０のアルキル基であり、Ｒ3cはメチル基、エチル基、プロピル基及びブチル基から選ばれる基である。Ｘは−ＣＯＯＭ、及び−ＳＯ3Ｍから選ばれる基であり、Ｍは水素原子、アルカリ金属、又はアルカリ土類金属である。〕
【００２７】
本発明の（ｄ）成分としては一般式（５）においてＲ3a−ＣＯが２−エチルヘキサノイル基、３，５，５−トリメチルヘキサノイル基、２−エチルペンタンノイル基、又は３，６，８，８−テトラメチルノナノイル基が好ましく、特に３，５，５−トリメチルヘキサノイル基が最も好適である。また、Ｘが−ＣＯＯＨ又は−ＳＯ3Ｍである化合物が好適であり、ｐ位に−ＣＯＯＨ又は−ＳＯ3Ｍを有する化合物が最も好ましい。
【００２８】
本発明の液体漂白剤組成物中における（ｄ）成分の含有量は、０．１〜１０質量％、好ましくは０．２〜５質量％、より好ましくは０．２〜２質量％である。
【００２９】
＜その他の成分＞
［（ｅ）成分］
本発明の液体漂白剤組成物は、（ｅ）成分としてホウ酸、ホウ砂及びホウ酸塩から選ばれる少なくとも１種の化合物を含有し得る。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００３０】
［（ｆ）成分］
本発明の液体漂白剤組成物は、（ｆ）成分としてポリオール化合物を含有し得る。（ｆ）成分は（ｅ）成分と組み合わせて用いられる。本発明において、ポリオール化合物とは、液体漂白剤組成物中で（ｅ）成分とモノ体又はジ体を形成し得る化合物であり（下記平衡反応の式を参照）、隣り合う炭素原子の両方にそれぞれ１つヒドロキシ基を有する部位が１つ以上存在する化合物、及び／又は３個以上のヒドロキシ基を有する化合物が好適である。更に、３個以上のヒドロキシ基を有し、且つ隣り合う炭素原子の両方にそれぞれ１つヒドロキシ基を有する部位が１つ以上存在するような構造を有する化合物も好ましい。（ｆ）成分の具体的例としては下記（１）〜（４）の化合物が好適であり、これらの化合物からなる群より選ばれる少なくとも１種以上を用いることができる。
【００３１】
（１）グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）；
（２）ソルビトール、マンニトール、マルチトース、イノシトール、及びフィチン酸から選ばれる糖アルコール類；
（３）グルコース、アピオース、アラビノース、ガラクトース、リキソース、マンノース、ガロース、アルドース、イドース、タロース、キシロース、及びフルクトースから選ばれる還元糖類、及びこれらの誘導体（アルキル（ポリ）グリコシド等）；並びに
（４）デンプン、デキストラン、キサンタンガム、グアガム、カードラン、プルラン、アミロース、及びセルロースから選ばれる多糖類。
【００３２】
本発明では、特に上記（２）の糖アルコール類が好適であり、単独又は複数で用いることができる。特にソルビトールが安定性及び漂白／洗浄効果の点から好適である。
【００３３】
一つの実施形態として、本発明の液体漂白剤組成物は、（ｅ）成分としてホウ酸、ホウ砂及びホウ酸塩から選ばれる化合物、並びに（ｆ）成分としてポリオール化合物から構成されるｐＨジャンプ系を、特定の組成及び比率で使用し得る。本発明の液体漂白剤組成物は、このような特定の組成及び比率を更に有することで、優れたｐＨジャンプ効果及び優れた過酸化水素の安定性を発現し得る。なお、「ｐＨジャンプ系」又は「ｐＨジャンプ効果」とは、液体漂白剤組成物のｐＨを弱酸性にし、水で希釈することでｐＨを上昇させる技術である。
【００３４】
本発明では液体漂白剤組成物に対して１０００容積倍の水により希釈した場合の希釈液の２０℃におけるｐＨが８．５以上１０．５未満、好ましくは９以上９．５未満になることが漂白／洗浄効果を得る目的から好ましい。
【００３５】
ここで、（ｅ）成分と（ｆ）成分（α，β−ジヒドロキシ化合物）との間には下記の式のような平衡反応が存在する。
【００３６】
【化４】
2007308597.tif 000005
【００３７】
本発明においてはジ体がｐＨジャンプ系の主要成分であることが希釈溶液のｐＨを８．５以上１０．５未満にするために好適であり、液体漂白剤組成物中に存在する全ホウ素化合物に対して、ジ体の含有量が７０〜１００モル％であり、モノ体の含有量が０〜５モル％未満であり、そして単独で存在するホウ酸、ホウ砂及び／又はホウ酸塩の含有量が０〜２５モル％未満になるようにすることが好適である。本発明においては、（ｅ）成分１当量（例えば、ホウ砂及び４ホウ酸ナトリウムの場合はホウ素原子を４個含むため、４当量と考える）あたり（ｆ）成分を好ましくは１．５〜４モル、より好ましくは１．５〜２．７モル、更に好ましくは２〜２．７モル、特に好ましくは２．２〜２．７モル用いることで、優れたｐＨジャンプ効果、並びに過酸化水素及び漂白活性化剤の安定性が得られ得る。
【００３８】
なお、本発明では（ｅ）成分及び（ｆ）成分を液体漂白剤組成物に配合する場合には、一般に、液体漂白剤組成物中では上記モノ体、及びジ体の化合物に変換されている。本発明でいう（ｅ）成分の含有量とは、単独、モノ体及びジ体として存在する（ｅ）成分の全含有量を意味する。（ｆ）成分の含有量とは、単独、モノ体及びジ体として存在する（ｆ）成分の全含有量を意味する。本発明の（ｅ）成分の含有量は、優れたｐＨジャンプ効果を達成させるための観点から、液体漂白剤組成物中においてホウ素原子として０．０５〜１質量％、好ましくは０．１５〜０．５質量％、より好ましくは０．２〜０．４質量％である。（ｆ）成分の含有量は、優れたｐＨジャンプ効果を達成させるための観点から、液体漂白剤組成物中において３〜３５質量％、好ましくは５〜３０質量％、より好ましくは１０〜２０質量％である。
【００３９】
更に、本発明の組成物の液感を向上させる観点から、（ｅ）成分１当量（例えば、ホウ砂及び４ホウ酸ナトリウムの場合はホウ素原子を４個含むため、４当量と考える）あたり（ｂ）成分を、好ましくは０．２〜３０モル、より好ましくは０．５〜１０モル、更に好ましくは１〜５モル用いる。
【００４０】
なお、変換されたモノ体及びジ体の含有量は、ホウ素（11Ｂ）のＮＭＲ分光法とＩＣＰ発光分析法との組合せを用いることで算出することができる。
【００４１】
［（ｇ）成分］
本発明の液体漂白剤組成物は、（ｇ）成分として、過酸化水素及び漂白活性化剤の安定性向上の観点から、金属封鎖剤を含有し得る。金属封鎖剤としては、ホスホン酸系が好ましく用いられる。その具体例としては、ホスホン酸基又はその塩基を有するものが挙げられ、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体等が挙げられる。これらは１種又は２種以上配合することができる。中でも、１−ヒドロキシエタン−１，１−ジホスホン酸、エチレンジアミンテトラキスメチレンホスホン酸等が好ましい。（ｇ）成分の含有量は、本発明の液体漂白剤組成物中、０．０１〜２質量％、更に０．０２〜１質量％が好ましい。
【００４２】
［ラジカルトラップ剤］
本発明の液体漂白剤組成物は、過酸化水素及び漂白活性化剤の安定性向上の観点から、ラジカルトラップ剤を含有し得る。ラジカルトラップ剤としては、フェノール系、すなわちフェノール性ＯＨ基を有する化合物、そのエステル誘導体やエーテル誘導体等の誘導体が好ましい。好適な例としては、ジメトキシフェノール、カテコール、ハイドロキノン、メトキシフェノール、ジブチルヒドロキシトルエン（ＢＨＴ）等が挙げられる。
【００４３】
［ハイドロトロープ剤］
本発明の液体漂白剤組成物は、香料等の各種成分を安定する観点から、ハイドロトロープ剤を含有し得る。ハイドロトロープ剤としては、エタノール、イソプロパノール、フェニルポリオキシエチレンアルコール等の１価アルコール類や、エチレングリコール、プロピレングリコール、ポリエチレングリコール、グリセリン等の多価アルコール類等が挙げられる。
【００４４】
その他に本発明の液体漂白剤組成物は、シリコーン類、殺菌剤、蛍光染料、酵素、香料等の任意成分を配合し得る。本発明の液体漂白剤組成物は水を含有し、通常、組成物の残部は水である。
【００４５】
本明細書中、液感とは、目視にて観察される組成物の状態を指し、例えば液感が良いとは、透明ないし半透明の液体であって、相分離、白濁又はゲル化していない液体の状態を意味する。本発明の組成物は、貯蔵後も良好な溶液状態を保つ、すなわち液感が良好となる。
【００４６】
［ｐＨ］
本発明の液体漂白剤組成物は、２０℃におけるｐＨが好ましくは４〜７、より好ましくは４．６〜７、更に好ましくは５〜７であり、このようなｐＨ領域において、漂白活性化剤を含有する系の更なる安定化を実現でき、貯蔵後でも優れた漂白洗浄性能を発現する。
【００４７】
このようなｐＨに調整するためのｐＨ調整剤としては、塩酸、硫酸等の無機酸、もしくはクエン酸、コハク酸、リンゴ酸、フマル酸、酒石酸、マロン酸、マレイン酸等の有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸、又は水酸化ナトリウム、水酸化カリウムから選ばれるアルカリ剤を用いることが好ましい。
【００４８】
また、本発明の液体漂白剤組成物の２０℃における粘度は、洗浄性能、液体物性の観点から、好ましくは５０〜２００ｍＰａ・ｓ、より好ましくは６０〜１５０ｍＰａ・ｓ、更に好ましくは７０〜１００ｍＰａ・ｓである。
【００４９】
本発明の液体漂白剤組成物の対象物としては、衣料のような繊維製品が好適であり、洗濯機を用いて漂白、洗浄する衣料等の繊維製品に応用することが最も好ましい。
【実施例】
【００５０】
表１に示す液体漂白剤組成物を調製し、貯蔵安定性に関して以下の評価を行った。結果を表１に示す。なお、実施例１〜７の組成物はいずれも、下記条件の貯蔵後も液感が良好であった。
【００５１】
［漂白活性化剤の安定性］
表１に示す液体漂白剤組成物を100mLガラス製サンプルビンに80ｇ入れ、40℃で４週間貯蔵した。貯蔵前後の液体漂白剤組成物中の漂白活性化剤含有量を高速液体クロマトグラフィーで測定し、下式により漂白活性化剤残存率を求めた。
【００５２】
【数１】
2007308597.tif 000006
【００５３】
［漂白率］
表１に示す液体漂白剤組成物を100mLガラス製サンプルビンに80ｇ入れ、40℃で４週間貯蔵した。下記の方法で調製したミートソース汚染布(4枚)を、貯蔵後の組成物1mLと4°DHの水９９９mLとを混合した洗浄液で、ターゴトメータを用いて20℃、80rpmで洗浄した。乾燥前後の布表面の反射率を測定し、下式により漂白率を求めた。
【００５４】
【数２】
2007308597.tif 000007
【００５５】
・ミートソース汚染布の調製
カゴメ（株）製ミートソース（完熟トマトのミートソース（２００７年５月２７日賞味期限、ロット番号：Ｄ５５２７ＪＦ）／内容量２５９ｇの缶詰）の固形分をメッシュ（目の開き；５００μｍ）で除去した後、得られた液を沸騰するまで加熱した。この液に木綿金布＃２００３を浸し、１５分間煮沸した。そのまま火からおろし２時間程度放置し３０℃まで放置した後、布を取りだし、余分に付着している液をへらで除去し、自然乾燥させた。その後プレスし、１０ｃｍ×１０ｃｍの試験布として実験に供した。
【００５６】
【表１】
2007308597.tif 000008
【００５７】
表中の記号は以下のものである。
・ｂ−１：ＣＨ3(ＣＨ2)11−Ｏ−(Ｃ2Ｈ4Ｏ)12−Ｈ（直鎖１級アルコールＥＯ付加物）
・ｂ−２：ＣＨ3(ＣＨ2)11-Ｏ-(Ｃ2Ｈ4Ｏ)7−Ｈ（直鎖２級アルコールＥＯ付加物）
・ｃ−１；ＨＯ−(Ｃ2Ｈ4Ｏ)10−Ｈ
・ｃ−２；ＨＯ−(Ｃ2Ｈ4Ｏ)100−Ｈ
・ｃ−３；ＨＯ−(Ｃ2Ｈ4Ｏ)5−(Ｃ3Ｈ6Ｏ)10−(Ｃ2Ｈ4Ｏ)5−Ｈ
・ｃ−４；ＨＯ−(Ｃ2Ｈ4Ｏ)10−(Ｃ3Ｈ6Ｏ)20−(Ｃ2Ｈ4Ｏ)10−Ｈ
・ｃ−５；ＨＯ−(Ｃ2Ｈ4Ｏ).350−Ｈ
【００５８】
【化５】
2007308597.tif 000009
【００５９】
・ｇ−１；1−ヒドロキシエチリデン−1,1−ジホスホン酸